(57)【要約】  本発明は、発光ダイオード光源であって、電源電圧供給源への接続のための入力端子Ｋ１、Ｋ２と、前記電源電圧供給源により供給される電源電圧を整流するため前記入力端子に結合された、整流器出力端子を有する整流器ＲＢと、前記整流された電源電圧から直流電流を生成するための、前記整流器出力端子に接続されたコンバータ入力端子と、第１のコンバータ出力端子Ａ及び第２のコンバータ出力端子Ｂと、を有するＤＣ−ＤＣコンバータＣＯＮＶと、発光ダイオード負荷ＬＬであって、前記発光ダイオード負荷の陽極から前記第１のコンバータ出力端子へと流れる電流を遮断するための電流制御要素Ｄ５を介して前記第１のコンバータ出力端子に結合された陽極と、前記発光ダイオード光源がスタンバイモードにある場合に、第１の制御可能なスイッチを非導通状態にするための第１の制御回路に結合された制御電極を持つ第１の制御可能なスイッチＭ１を介して、前記第２のコンバータ出力端子に結合された陽極と、を備えた発光ダイオード負荷と、を有する発光ダイオード光源に関する。
2015513771.tif 000002
【特許請求の範囲】
【請求項１】
発光ダイオード光源であって、
電源電圧供給源への接続のための入力端子と、
前記電源電圧供給源により供給される電源電圧を整流するため前記入力端子に結合された、整流器出力端子を有する整流器と、
前記整流された電源電圧から直流電流を生成するための、前記整流器出力端子に接続されたコンバータ入力端子と、第１のコンバータ出力端子及び第２のコンバータ出力端子と、を有する直流−直流コンバータと、
発光ダイオード負荷であって、前記発光ダイオード負荷の陽極から前記第１のコンバータ出力端子へと流れる電流を遮断するための電流制御要素を介して前記第１のコンバータ出力端子に結合された陽極と、前記発光ダイオード光源がスタンバイモードにある場合に、第１の制御可能なスイッチを非導通状態にするための第１の制御回路に結合された制御電極を持つ第１の制御可能なスイッチを介して、前記第２のコンバータ出力端子に結合された陽極と、を備えた発光ダイオード負荷と、
を有する発光ダイオード光源。
【請求項２】
前記電流制御要素はダイオードである、請求項１に記載の発光ダイオード光源。
【請求項３】
前記電流制御要素は更なる制御可能なスイッチであり、前記更なる制御可能なスイッチは、前記発光ダイオード光源がスタンバイモードにある場合に、前記更なる制御可能なスイッチを非導通状態にするための、更なる制御回路に結合された制御電極を持つ、請求項１に記載の発光ダイオード光源。
【請求項４】
前記第１の制御可能なスイッチは電界効果トランジスタを有する、請求項１に記載の発光ダイオード光源。
【請求項５】
前記更なる制御可能なスイッチは電界効果トランジスタを有する、請求項３に記載の発光ダイオード光源。
【請求項６】
前記第１の制御可能なスイッチ及び前記電流制御要素は、それぞれリレーを有する、請求項３に記載の発光ダイオード光源。
【請求項７】
前記第１の制御回路は、前記第１のコンバータ出力端子を前記第２のコンバータ出力端子に接続する第１の抵抗及び第２の抵抗の直列構成を有する分圧器と、前記第１の抵抗と前記第２の抵抗との間の端子に結合された制御可能なスイッチの制御電極と、を有する、請求項１に記載の発光ダイオード光源。
【請求項８】
前記直流−直流コンバータは、一次巻線及び二次巻線を備えた変圧器と、前記一次巻線と前記二次巻線との間に結合されたコンデンサと、を有する、請求項１に記載の発光ダイオード光源。
【請求項９】
前記スタンバイモードには、前記直流−直流コンバータの動作を停止することにより入り、前記発光ダイオード光源がスタンバイモードにある場合に前記第１の制御可能なスイッチを非導通状態にするための前記制御回路は、前記直流−直流コンバータに含まれるコンバータ制御回路に含まれ、前記第１の制御可能なスイッチの制御電極は、前記コンバータ制御回路の出力端子に結合された、請求項１に記載の発光ダイオード光源。
【請求項１０】
前記スタンバイモードには、前記直流−直流コンバータの動作を停止することにより入り、前記発光ダイオード光源がスタンバイモードにある場合に前記更なる制御可能なスイッチを非導通状態にするための前記更なる制御回路は、前記直流−直流コンバータに含まれるコンバータ制御回路に含まれ、前記更なる制御可能なスイッチの制御電極は、前記コンバータ制御回路の第２の出力端子に結合された、請求項３に記載の発光ダイオード光源。
【請求項１１】
スタンバイの間の発光ダイオード光源の発光ダイオード負荷を通って流れる漏れ電流を減少させる方法であって、前記発光ダイオード光源は、
電源への接続のための、及び電源電圧を整流するための、整流器と、
発光ダイオード負荷と、
前記整流器と前記発光ダイオード負荷との間に結合された直流−直流コンバータと、
動作の間に前記電源の中性端子に接続され、寄生コンデンサによって前記発光ダイオード負荷に結合された、保護接地端子と、
を有し、前記方法は、
前記直流−直流コンバータの動作が停止させられ、前記発光ダイオード光源がスタンバイモードとなった後に、
一方向性素子によって前記発光ダイオード負荷の陽極から前記整流器への電流の流れを遮断するステップと、
電流経路における制御可能なスイッチを非導通状態にすることにより、前記発光ダイオード負荷の陰極から前記整流器への電流の流れを遮断するステップと、
を有する方法。
【発明の詳細な説明】
【技術分野】
【０００１】
本発明は、発光ダイオード（ＬＥＤ）光源の分野に関する。更に詳細には、本発明は、スタンバイ機能を備えたＬＥＤ光源、即ち電源供給がＬＥＤ光源に接続されたままで該ＬＥＤ光源の動作が停止されることができるようなＬＥＤ光源に関する。
【背景技術】
【０００２】
ＬＥＤに基づく照明システムは、ますます広範囲に亘って用いられている。ＬＥＤは、高い効率と長い寿命を持つ。多くの照明システムにおいて、ＬＥＤは他の光源よりも高い光学的な効率をも提供する。その結果、ＬＥＤは、蛍光灯、高輝度放電ランプ又は白熱灯といった良く知られた光源に対する、興味深い代替を提供する。
【発明の概要】
【発明が解決しようとする課題】
【０００３】
ＬＥＤ光源は、ＬＥＤ光源の動作が制御命令により制御されるような照明システムに含まれることが多い。斯かる制御命令は、ＬＥＤ光源を起動するための命令及びＬＥＤ光源の動作を停止させるための命令、即ちＬＥＤ電流を開始させる命令及びＬＥＤ電流の生成を停止する命令、を含む。後者の場合には、電源へのＬＥＤ光源の接続を遮断することによってではなく、例えばＬＥＤ光源に含まれるコンバータ回路の動作を停止することによって、動さが停止される。該後者の場合には、ＬＥＤ光源はスタンバイモードにあると言える。該スタンバイモードにおいては、電源がＬＥＤ光源に依然として接続されているため、ＬＥＤ光源は依然として更なる命令を受信しこれら命令を処理することが可能である。しかしながら同時に、電源が、ＬＥＤ光源に含まれる寄生コンデンサ及びＬＥＤ負荷（の一部）を通る漏れ電流を引き起こし得る。該漏れ電流は、ＬＥＤ列がグロー効果に帰着する少量の光を生成することを引き起こし、このことはしばしば望ましくないことである。
【０００４】
本発明の目的は、スタンバイモードにあるときに、漏れ電流によって引き起こされる少量の光を生成しないＬＥＤ光源を提供することにある。
【課題を解決するための手段】
【０００５】
本発明の第１の態様によれば、発光ダイオード光源であって、
電源電圧供給源への接続のための入力端子と、
前記電源電圧供給源により供給される電源電圧を整流するため前記入力端子に結合された、整流器出力端子を有する整流器と、
前記整流された電源電圧から直流電流を生成するための、前記整流器出力端子に接続されたコンバータ入力端子と、第１のコンバータ出力端子及び第２のコンバータ出力端子と、を有する直流−直流コンバータと、
発光ダイオード負荷であって、前記発光ダイオード負荷の陽極から前記第１のコンバータ出力端子へと流れる電流を遮断するための電流制御要素を介して前記第１のコンバータ出力端子に結合された陽極と、前記発光ダイオード光源がスタンバイモードにある場合に、第１の制御可能なスイッチを非導通状態にするための第１の制御回路に結合された制御電極を持つ第１の制御可能なスイッチを介して、前記第２のコンバータ出力端子に結合された陽極と、を備えた発光ダイオード負荷と、
を有する発光ダイオード光源が提供される。
【０００６】
動作の間、ＬＥＤに電源供給する電流は、電流制御要素を通り、更に導電状態に保持された第１の制御可能なスイッチをも通って流れることができる。コンバータによりＬＥＤ負荷に供給されるＬＥＤ電流が停止させられた場合には、ＬＥＤ光源がスタンバイ状態となり、第１の制御可能なスイッチが非導電状態とされる。その結果、電源から寄生コンデンサを通ってＬＥＤ負荷へと流れる漏れ電流が効果的に抑制され、それによりＬＥＤはスタンバイ状態の間に少量の光を生成しなくなる。
【０００７】
本発明の更なる態様によれば、スタンバイの間の発光ダイオード光源の発光ダイオード負荷を通って流れる漏れ電流を抑制する方法であって、前記発光ダイオード光源は、
電源への接続のための、及び電源電圧を整流するための、整流器と、
発光ダイオード負荷と、
前記整流器と前記発光ダイオード負荷との間に結合された直流−直流コンバータと、
前記電源の中性端子に接続され、寄生コンデンサによって前記発光ダイオード負荷に結合された、保護接地端子と、
を有し、前記方法は、
前記直流−直流コンバータの動作が停止させられ、前記発光ダイオード光源がスタンバイモードとなった後に、
一方向性素子によって前記発光ダイオード負荷の陽極から前記整流器への電流の流れを遮断するステップと、
電流経路における制御可能なスイッチを非導通状態にすることにより、前記発光ダイオード負荷の陰極から前記整流器への電流の流れを遮断するステップと、
を有する方法が提供される。
【０００８】
本発明による方法は、寄生コンデンサを通って流れてＬＥＤに少量の光を発生させてしまい得る漏れ電流を、効果的に抑制する。
【０００９】
前記電流制御要素は、好適にはダイオード又は更なる制御可能なスイッチとして実装され、前記更なる制御可能なスイッチは、前記発光ダイオード光源がスタンバイモードにある場合に、前記更なる制御可能なスイッチを非導通状態にするための、更なる制御回路に結合された制御電極を持つ。該電流制御要素と該第１の制御可能なスイッチとの両方が、電界効果トランジスタ（ＦＥＴ）又はリレー（relais）を有しても良い。
【００１０】
第１の好適な実施例においては、ＬＥＤ光源がスタンバイモードにある場合に第１の制御可能なスイッチを非導通状態にするために利用される制御回路が、前記第１のコンバータ出力端子を前記第２のコンバータ出力端子に接続する第１の抵抗及び第２の抵抗の直列構成を有する分圧器と、前記第１の抵抗と前記第２の抵抗との間の端子に結合された制御可能なスイッチの制御電極とを有する。ＬＥＤ光源がスタンバイモードに入るためにＤＣ−ＤＣコンバータの動作が停止させられた場合には、コンバータ出力端子間の電圧が低下し、制御可能なスイッチの制御電極における電圧もまた、第１の制御可能なスイッチが非導通状態となるほど低い電圧にまで低下する。このようにして、安価で信頼性の高い態様で、第１の制御回路が実現される。
【００１１】
更なる好適な実施例においては、前記直流−直流コンバータは、一次巻線及び二次巻線を備えた変圧器と、前記一次巻線と前記二次巻線との間に結合されたコンデンサと、を有する。
【００１２】
該コンデンサは別個の構成要素であっても良く、例えばＥＭＩを抑制するためのコンデンサであっても良い。該コンデンサはまた、寄生コンデンサであっても良い。
【００１３】
該変圧器は、ＬＥＤ光源を離隔されたＬＥＤ光源とする。該変圧器はＬＥＤ負荷と電源との間の分離を提供するが、一次巻線と二次巻線との間に結合されたコンデンサの存在により、該変圧器は、ＬＥＤが少量の光を生成することを防ぐために、寄生コンデンサを通って及びＬＥＤを通って電源から流れる漏れ電流を十分に抑制しない。しかしながら本発明は、ＬＥＤ光源がスタンバイ状態にある場合に、分離されたＬＥＤ光源における漏れ電流を効果的に抑制することが分かった。
【００１４】
本発明によるＬＥＤ光源の別の好適な実施例においては、前記スタンバイモードには、前記直流−直流コンバータの動作を停止することにより入り、前記発光ダイオード光源がスタンバイモードにある場合に前記第１の制御可能なスイッチを非導通状態にするための前記制御回路は、前記直流−直流コンバータに含まれるコンバータ制御回路に含まれ、前記第１の制御可能なスイッチの制御電極は、前記コンバータ制御回路の出力端子に結合される。
【００１５】
ＤＣ−ＤＣコンバータの動作が停止されたときには第１の制御可能なスイッチが導通状態とされる必要があるため、ＤＣ−ＤＣコンバータのコンバータ制御回路を用いて、ＤＣ−ＤＣコンバータの動作と第１の制御可能なスイッチの導通状態との両方を制御することが効率的である。
【００１６】
本発明によるＬＥＤ光源の更に別の好適な実施例においては、前記スタンバイモードには、前記直流−直流コンバータの動作を停止することにより入り、前記発光ダイオード光源がスタンバイモードにある場合に前記更なる制御可能なスイッチを非導通状態にするための前記更なる制御回路は、前記直流−直流コンバータに含まれるコンバータ制御回路に含まれ、前記更なる制御可能なスイッチの制御電極は、前記コンバータ制御回路の第２の出力端子に結合される。
【００１７】
ＤＣ−ＤＣコンバータの動作が停止されたときには該更なる制御可能なスイッチも導通状態とされる必要があるため、ＤＣ−ＤＣコンバータのコンバータ制御回路を用いて、ＤＣ−ＤＣコンバータの動作と該更なる制御可能なスイッチの導通状態との両方を制御することが効率的である。
【００１８】
本発明のこれらの及び他の態様は、以下に説明される実施例を参照しながら説明され明らかとなるであろう。
【図面の簡単な説明】
【００１９】
【図１】先行技術によるＬＥＤ光源の例の模式的な表現を示す。
【図２】本発明によるＬＥＤ光源の第１の実施例の模式的な表現を示す。
【図３】本発明によるＬＥＤ光源の第２の実施例の模式的な表現を示す。
【図４】本発明によるＬＥＤ光源の第３の実施例の模式的な表現を示す。
【図５】本発明によるＬＥＤ光源の第４の実施例の模式的な表現を示す。
【発明を実施するための形態】
【００２０】
図１において、Ｋ１及びＫ２は、電源に対する接続のための入力端子である。ダイオードＤ１乃至Ｄ４は、整流器出力端子を有する整流器ＲＢを形成する。該整流器出力端子は、整流された電源電圧から直流（ＤＣ）電流を生成するための、ＤＣ−ＤＣコンバータＣＯＮＶの対応するコンバータ入力端子に接続される。コンバータＣＯＮＶは、第１のコンバータ出力端子Ａ、及び第２のコンバータ出力端子Ｂを有する。コンバータ入力端子同士はコンデンサＣｉｎにより接続され、第１のコンバータ出力端子と第２のコンバータ出力端子とはコンデンサＣｏｕｔにより接続される。
【００２１】
コンバータＣＯＮＶは、ＤＣ−ＤＣコンバータに含まれるコンバータ制御回路の動作を起動又は停止し、それによりそれぞれ、ＬＥＤ光源の動作を開始又はＬＥＤ光源をスタンバイモードに移行させる制御命令を受信するための、入力端子Ｋ３を備える。該制御信号は例えば、ＬＥＤ光源を一部として含む照明システムにおける照明制御回路により生成されても良い。
【００２２】
第１のコンバータ出力端子Ａは、ＬＥＤ負荷ＬＬの陽極に接続される。図１において、ＬＥＤ負荷ＬＬは、２つのＬＥＤ即ちＬＥＤ１及びＬＥＤ２により模式的に表されている。実際には、ＬＥＤ負荷は一般に、はるかに多い数のＬＥＤを有する。ＬＥＤ負荷ＬＬの陰極は、第２のコンバータ出力端子Ｂに接続される。
【００２３】
図１に示されるＬＥＤ光源は、照明器具において使用されるのに非常に適している。安全性の理由から、斯かる照明器具は通常、保護接地ＰＥに接続され、該保護接地ＰＥは次いで、電源の「中性端子」に接続される。本発明者は、ＬＥＤはしばしば照明器具と結合し、従って寄生コンデンサによって保護接地ＰＥと結合することを見出した。寄生コンデンサは、図１においてＣｐａｒ１、Ｃｐａｒ２及びＣｐａｒ３として模式的に表されている。
【００２４】
図１に示されるＬＥＤ光源の通常動作の間は、電源電圧が整流器ＲＢにより整流され、ＤＣ−ＤＣコンバータＣＯＮＶは、該整流された電源電圧から、ＬＥＤ負荷ＬＬに供給されるＤＣ電流を生成する。該ＤＣ電流は、ＬＥＤに光を発生される。
【００２５】
しかしながら、ＤＣ−ＤＣコンバータの動作を停止させる制御信号が端子Ｋ３において受信された場合、ＬＥＤを流れるＤＣ電流はもはや生成されず、ＬＥＤ光源はスタンバイモードに入る。
【００２６】
ＬＥＤ光源の入力端子が依然として電源に接続されているため、保護接地をＬＥＤに結合させる寄生コンデンサが、ＡＣ漏れ電流を流れさせる。
【００２７】
端子Ｋ２における電圧が端子Ｋ１における電圧よりも高い場合には、第１の電流が、端子Ｋ２から、寄生コンデンサＣｐａｒ３及びダイオードＤ３を通って、入力端子Ｋ１へと流れる。第２の電流は、入力端子Ｋ２から、Ｃｐａｒ２、ＬＥＤ２及びダイオードＤ３を通って、入力端子Ｋ１へと流れる。第３の電流は、端子Ｋ２から、寄生コンデンサＣｐａｒ１、コンデンサＣｏｕｔ及びダイオードＤ３を通って、入力端子Ｋ１へと流れる。これらの電流は、寄生コンデンサを充電する。
【００２８】
端子Ｋ１における電圧が端子Ｋ２における電圧よりも高い場合には、電流が、端子Ｋ１から、ダイオードＤ１及びコンデンサＣｉｎを通って、コンバータ出力端子Ｂへと流れる。コンバータ出力端子Ｂからは、第１の電流が、コンデンサＣｏｕｔ及び寄生コンデンサＣｐａｒ１を通って、入力端子Ｋ２へと流れる。第２の電流は、コンバータ出力端子Ｂから、コンデンサＣｏｕｔ、ＬＥＤ１及び寄生コンデンサＣｐａｒ２を通って、入力端子Ｋ２へと流れる。第３の電流は、コンバータ出力端子Ｂから、寄生コンデンサＣｐａｒ３を通って、端子Ｋ２へと流れる。これらの電流は、寄生コンデンサを放電する。
【００２９】
斯くして、漏れ電流が寄生コンデンサ及び部分的にＬＥＤを通って流れ、それによりＬＥＤに望ましくないと考えられる少量の光を発生させる。
【００３０】
図２のＬＥＤ光源は更に抵抗Ｒ１及びＲ２、ダイオードＤ５、第１の制御可能なスイッチＭ１並びにツェナーダイオードＺ１を有する点において、図２に示されたＬＥＤ光源は、図１に示された先行技術のＬＥＤ光源とは異なる。図２に示された実施例においては、第１の制御可能なスイッチはＦＥＴである。ＤＣ−ＤＣコンバータＣＯＮＶのコンバータ出力端子同士は、抵抗Ｒ１及び抵抗Ｒ２の直列構成によって接続される。抵抗Ｒ１及び抵抗Ｒ２の共通端子は、第１の制御可能なスイッチＭ１の制御電極に接続され、抵抗Ｒ２は、ツェナーダイオードＺ１により分路される。抵抗Ｒ１、抵抗Ｒ２及びツェナーダイオードＺ１はあわせて、ＤＣ−ＤＣコンバータの動作が停止されＬＥＤ光源がスタンバイモードとなった場合に、制御可能なスイッチＭ１を非導通状態とするための、第１の制御回路を形成する。
【００３１】
図２に示されるＬＥＤ光源の通常動作の間は、コンデンサＣｏｕｔの両端電圧、及び従って抵抗Ｒ１及び抵抗Ｒ２の直列構成の両端電圧は、第１の制御可能なスイッチＭ１を導通状態に維持するのに十分に高い。その結果、ダイオードＤ５及び制御可能なスイッチＭ１はＤＣ−ＤＣコンバータＣＯＮＶにより生成されるＤＣ電流を通すため、図２に示されるＬＥＤ光源の通常動作は、図１に示された先行技術のＬＥＤ光源の通常動作と非常に類似したものとなる。
【００３２】
ＤＣ−ＤＣコンバータＣＯＮＶが、通常動作からスタンバイモードへの切り換えのための制御信号を端子Ｋ３において受信した場合、該ＤＣ−ＤＣコンバータの動作は停止させられ、ＬＥＤ負荷に電力供給するＤＣ電流はもはや生成されず、コンバータ出力端子間の電圧が減少して、それにより第１の制御可能なスイッチＭ１は非導通状態となる。ダイオードＤ５及び制御可能なスイッチＭ１の本体ダイオードは、漏れ電流を遮断し、それにより、ＬＥＤ光源がスタンバイモードにあるときに、寄生コンデンサはもはや充電及び放電されず、ＬＥＤは少量の光を生成しなくなり、そのためグロー効果が効果的に抑制される。
【００３３】
ダイオードＤ５が省かれると、ＬＥＤは依然として少量の光を生成するであろうことに留意されたい。このことは、端子Ｋ２における電圧が端子Ｋ１における電圧よりも高いときに、電源電圧の瞬間的に高い値のため、ＬＥＤの陰極から陽極へ流れる逆電流をＬＥＤが担持するためである。該電流は、寄生容量を変化させる。ＬＥＤは次いで、ＬＥＤは依然として少量の光を生成するであろうことに留意されたい。このことは、端子Ｋ１における電圧が端子Ｋ２における電圧よりも高いときに、寄生容量を放電させ、ＬＥＤの陽極から陰極へと流れる電流を担持する。図２に示された実施例においては、ＬＥＤを流れる逆電流は、ダイオードＤ５により遮断される。
【００３４】
図３に示された実施例は、ＤＣ−ＤＣコンバータが、一次巻線Ｌｐ及び二次巻線Ｌｓを備えた変圧器Ｔを有する点において、図２に示された実施例と異なる。一次巻線Ｌｐは、干渉を抑制するため、コンデンサＣ−ＥＭＩによって二次巻線Ｌｓと接続される。該変圧器の存在により、ＬＥＤのドライバは分離したＬＥＤドライバとなり、このことは、該変圧器の二次側における回路及びＬＥＤが電源から分離されることを意味する。
【００３５】
図３に示されるＬＥＤ光源の動作は、図２に示されるＬＥＤ光源の動作に非常に類似する。唯一の違いは、スタンバイモードにおいて、コンデンサＣ−ＥＭＩもがＤＣ電圧に充電されることである。
【００３６】
図４に示されるＬＥＤ光源は、抵抗Ｒ１及びＲ２が省かれ、制御可能なスイッチＭ１の導通状態がＤＣ−ＤＣコンバータＣＯＮＶの第３の出力端子における信号によって制御される点において、図２に示されたＬＥＤ光源とは異なる。ＤＣ−ＤＣコンバータの動作が停止させられ、ＬＥＤ光源がスタンバイモードに入ると、該第３の出力端子における信号は、制御可能なスイッチＭ１を非導通状態にする。
【００３７】
図５に示されるＬＥＤ光源は、ダイオードＤ５が更なる制御可能なスイッチＳＷ２により置き換えられている点において、図４に示されたＬＥＤ光源とは異なる。第１の制御可能なスイッチを形成するＦＥＴは、第１の制御可能なスイッチのためのより一般的な記号により置き換えられ、ツェナーダイオードＺ１が省かれている。該第１の制御可能なスイッチ及び更なる制御可能なスイッチはそれぞれ、ＤＣ−ＤＣコンバータＣＯＮＶの第３の出力端子に存在する信号、及び第４の出力端子に存在する信号によって、制御される。この目的のために、スイッチＳＷ１及びＳＷ２はそれぞれ、ＤＣ−ＤＣコンバータＣＯＮＶの第３及び第４の出力端子に接続される。ＬＥＤ光源がスタンバイモードにある場合、スイッチＳＷ１及びＳＷ２は共に非導通状態とされる。スイッチＳＷ１及びＳＷ２は、ＦＥＴ若しくはリレー又はその他のタイプのスイッチのような、いずれのタイプのスイッチにより形成されても良い。これら制御可能なスイッチの一方又は両方がリレーにより実装される場合には、スイッチが非導通状態とされると、両方の方向における電流伝導が遮断される点に留意されたい。この場合にも、漏れ電流の効果的な抑制が実現される。
【００３８】
本発明は図面及び以上の記述において説明され記載されたが、斯かる説明及び記載は説明するものであって限定するものではないとみなされるべきであり、本発明は開示された実施例に限定されるものではない。図面、説明及び添付される請求項を読むことにより、請求される本発明を実施化する当業者によって、開示された実施例に対する他の変形が理解され実行され得る。請求項において、「有する（comprising）」なる語は他の要素又はステップを除外するものではなく、「１つの（a又はan）」なる不定冠詞は複数を除外するものではない。特定の手段が相互に異なる従属請求項に列挙されているという単なる事実は、これら手段の組み合わせが有利に利用されることができないことを示すものではない。請求項におけるいずれの参照記号も、請求の範囲を限定するものとして解釈されるべきではない。
【図１】
2015513771.tif 000003
【図２】
2015513771.tif 000004
【図３】
2015513771.tif 000005
【図４】
2015513771.tif 000006
【図５】
2015513771.tif 000007
【国際調査報告】
2015513771.tif 000008
2015513771.tif 000009